(57)【特許請求の範囲】
【請求項１】
矩形状の第１の扉と、前記第１の扉を前記矩形の１頂点周辺の回動軸を中心に１８０度
回転させた位置に配置されている第２の扉とを備え、
前記第１の扉と前記第２の扉を接合させて、該接合部に前記回動軸を挿入する孔部を設
けたことを特徴とする、回転扉。
【請求項２】
前記第１の扉と前記第２の扉の一方又は双方の、前記矩形の前記孔部から離間した２辺に錘を設けたことを特徴とする、請求項１に記載の回転扉。
【請求項３】
前記矩形は正方形であることを特徴とする、請求項１又は２に記載の回転扉。
【請求項４】
請求項１〜３のいずれか１項に記載の回転扉を２つ備え、
前記２つの回転扉を１つの回動軸に挿入することを特徴とする、複合回転扉。
【発明の詳細な説明】
【技術分野】
【０００１】
本発明は、回転扉に関する。
【背景技術】
【０００２】
棚等の収容空間の前面を被覆して収容される荷物を保護すると共に、必要に応じて被覆を解除して荷物の取り出しや収納を容易にするために扉が広く用いられている。扉としては、レール等により左右にスライドする引き違い扉と、回動軸を中心に（多くの場合前後に）回転する回転扉とが知られている。
【０００３】
引き違い扉は、扉を開く際の移動スペースを要さない利点があるが、左右にスライドする際にレール等との間で摩擦が生じ、扉の開閉が必ずしも軽快ではない。一方、回転扉は、扉の開閉が軽快であるが、扉を扉面に垂直な方向に回動させるため、その回動のための移動スペース設ける必要がある。
【０００４】
この点、特許文献１には、扉を扉面に垂直な方向に回動させる蓋開閉機構が開示されている。かかる開閉機構によれば、レール等との間で摩擦が生じず、扉を開く際の移動スペースを要さない回転扉を実現することができる。しかし、特許文献１においては回動軸が扉の上端近くに存在するため、「蓋」でなく「扉」に用いるには、大きな重量を有する扉を支持することが困難であった。
【先行技術文献】
【特許文献】
【０００５】
【特許文献１】特開２０１９−１３２８７１号公報
【発明の概要】
【発明が解決しようとする課題】
【０００６】
本発明は、扉を扉面に水平な方向に回動させ、回動軸周りの扉の回転モーメントを小さくして、大きな重量を有する扉を支持することで、手動時の開閉操作性に優れた回転扉を提供することを課題とする。
【課題を解決するための手段】
【０００７】
本発明の回転扉は、
矩形状の第１の扉と、前記第１の扉を前記矩形の１頂点周辺の回動軸を中心に１８０度
回転させた位置に配置されている第２の扉とを備え、
前記第１の扉と前記第２の扉を接合させて、該接合部に前記回動軸を挿入する孔部を設
けたことを特徴とする。
【０００８】
この特徴によれば、第１の扉と第２の扉が扉面の水平な方向に回動し、回動のための移動スペース設ける必要がなくなる。第１の扉と第２の扉の重量が回動軸を中心に対称となり、回転扉の回動軸を中心とする回転モーメントが小さくなる。
【０００９】
本発明の回転扉は、
前記第１の扉と前記第２の扉の一方又は双方の、前記矩形の前記孔部から離間した２辺に錘を設けたことを特徴とする。
【００１０】
この特徴によれば、扉の戸当たりに接する部分に錘が設けられ、回動を完了した時に錘によって扉を正確な位置に配することができる。
【００１１】
本発明の回転扉は、
前記矩形は正方形であることを特徴とする。
【００１２】
この特徴によれば、回転扉全体の形状が類似に保たれ、視覚的な美観が良好になる。
【００１３】
本発明の複合回転扉は、
本発明の回転扉を２つ備え、
前記２つの回転扉を１つの回動軸に挿入することを特徴とする。
【００１４】
この特徴によれば、２つの回転扉を用いて、左右いずれの方向からも開閉することができる。
【発明の効果】
【００１５】
本発明によれば、扉を扉面に水平な方向に回動させ、回動軸周りの扉の回転モーメントを小さくして、大きな重量を有する扉を支持することで、手動時の開閉操作性に優れた回転扉を提供することができる。
【図面の簡単な説明】
【００１６】
【図１】図１は、回転扉を収納棚に配置した状態を示す図である。
【図２】図２は、回転扉の構造を示す分解図である。
【図３】図３は、回転扉の回転中の状態を示す図である。
【図４】図４は、回転扉を開いた状態を示す図である。
【図５】図５は、回転扉の回転中の別の状態を示す図である。
【図６】図６は、回転扉と収納棚の構造を示す分解図である。
【図７】図７は、回転扉の別の形状を示す図である。
【図８】図８は、回転扉の別の形状を説明する図である。
【発明を実施するための形態】
【００１７】
図１は、回転扉を収納棚に配置した状態を示す図である。図には、２つの回転扉０ａ及び０ｂが描かれている。
【００１８】
回転扉０ａは、第１の扉１１ａ、第２の扉１２ａ、錘３１ａ及び３２ａを備えている。
【００１９】
回転扉０ｂは、第１の扉１１ｂ、第２の扉１２ｂ、錘３１ｂ及び錘３２ｂを備えている。
【００２０】
回転扉０ａ及び０ｂは、孔部２１（図２参照）において回動軸２２（図２参照）を貫通し、回動軸固定部材２３が図示されている。
【００２１】
収納棚４１は、収容空間に荷物を収容する。回転扉０ａ及び０ｂが収納棚４１（収容空間）の前面を被覆している。
【００２２】
収納棚４１には、戸当り４２が設けられている。戸当り４２は、回転扉０ａ又は０ｂの矩形形状の１辺を係止し、回転扉０ａ又は０ｂの移動を止めて、回転扉０ａ又は０ｂを開いた状態又は閉じた状態に保つ。
【００２３】
錘（３１ａ、３１ｂ、３２ａ、３２ｂ）は、第１の扉１１ａ又は第１の扉１１ｂを戸当り４２に圧着させるための部材である。錘の自重によって圧着させることができる。なお、回動軸２２を中心とする回転モーメントを調整するために、第２の扉１２ａ及び第２の扉１２ｂにも錘を設けてもよい。
【００２４】
また、第１の扉１１ａ又は第１の扉１１ｂと戸当り４２との間の応力を調整するために、錘をゴムなどの弾性体としてもよい。
【００２５】
図２は、回転扉の構造を示す分解図である。回転扉０ａ及び０ｂを、部材に分解して描
いたものである。回転扉０ａ及び０ｂは矩形状の第１の扉（１１ａ、１１ｂ）と、第１の
扉を矩形の１頂点周辺の回動軸を中心に１８０度回転させた第２の扉（１２ａ、１２ｂ）
とから構成される。
【００２６】
第１の扉（１１ａ、１１ｂ）と第２の扉（１２ａ、１２ｂ）は接合され、該接合部に回動軸２２を挿入する孔部２１が設けられている。また、回転扉０ａ及び０ｂは、同一の回動軸２２に挿入されている。
【００２７】
２つの回転扉０ａ及び０ｂを合わせて複合回転扉となる、ただし、回転扉０ａ及び０ｂの一方のみを備え、他方については回転しない単純な板材としてもよい。
【００２８】
図３は、回転扉の回転中の状態を示す図である。図２に示した回転扉のうち、回転扉０ａを反時計周りに回転させている状態を示す。回転扉０ａが回転するが、回動軸２２の周りで、回転扉０ｂを反時計周りに回転させても、第１の扉１１ｂが戸当たり４２に係止されて回動せず、図に示す状態となる。
【００２９】
図４は、回転扉０ａをさらに開いた状態を示す図である。回転扉０ａを反時計周りにさらに回転させると、回転扉０ａも第１の扉１１ａが戸当たり４２に係止されて、図に示す状態となる。
【００３０】
この状態では、開放部４３が回転扉０ａ及び０ｂのいずれにも被覆されず図に示す状態となる。開放部４３内の荷物の取り出しや収納が可能になる。
【００３１】
図５は、回転扉の回転中の別の状態を示す図である。図２に示した状態に替えて回転扉０ｂを時計周りに回転させることも可能である。
【００３２】
図６は、回転扉と収納棚の構造を示す分解図である。図２に示した状態において、回転扉０ａ、０ｂ、収納棚４１を示し、回動軸２２及び回動軸固定部材２３の位置を表したものである。
【００３３】
図７は、回転扉の別の形状を示す図である。以上、第１の扉１１a及び第２の扉１２ａが正方形形状のものとして説明したが、正方形でなく長方形（図においてＬ１とＬ２が異なる）場合を示す図である。Ｌ１とＬ２が異なるため、回転扉０ａ（第１の扉１１ａ）を回動させた場合に、第１の扉１１ａの端部の回動軸からの距離が変動する。
【００３４】
図８は、回転扉の別の形状を説明する図である。上記回動軸からの距離の変動に合わせて、戸当り４２の位置の変動を描いたものである。このようにして使用することもできるが、戸当り４２の位置を変動させないため、第１の扉１１ａ及び第２の扉１２ａが、正方形の形状であることが好ましい。
【００３５】
以上のとおり、本発明の回転扉は、回動軸周りの扉の回転モーメントを小さくして、大きな重量を有する扉を支持することで、手動時の開閉操作性が優れたものである。
【産業上の利用可能性】
【００３６】
扉を扉面に水平な方向に回動させ、回動軸周りの扉の回転モーメントを小さくして、大きな重量を有する扉を支持することで、手動時の開閉操作性に優れた回転扉である。多くの建築業者による利用が考えられる。
【符号の説明】
【００３７】
０      回転扉
１１    第１の扉
１２    第２の扉
２１    孔部
２２    回動軸
２３    回動軸固定部材
３１    錘
３２    錘
４１    収納棚
４２    戸当り
４３    開放部
【要約】
【課題】  扉を扉面に水平な方向に回動させ、回動軸周りの扉の回転モーメントを小さくして、大きな重量を有する扉を支持することで、手動時の開閉操作性に優れた回転扉を提供すること。
【解決手段】矩矩形状の第１の扉１１と、第１の扉１１を矩形の１頂点周辺の回動軸を中心に１８０度回転させた第２の扉１２とを備え、第１の扉１１と第２の扉１２を接合させて、該接合部に回動軸２２を挿入する孔部２１を設けたことを特徴とする、回転扉０を提供する。第１の扉１１と第２の扉１２が扉面の水平な方向に回動し、回動のための移動スペース設ける必要がなくなる。第１の扉１１と第２の扉１２の重量が回動軸を中心に対称となり、回転扉０の回動軸２２を中心とする回転モーメントが小さくなる
【選択図】図１【図１】
0006818398.tif 000002
【図２】
0006818398.tif 000003
【図３】
0006818398.tif 000004
【図４】
0006818398.tif 000005
【図５】
0006818398.tif 000006
【図６】
0006818398.tif 000007
【図７】
0006818398.tif 000008
【図８】
0006818398.tif 000009